(57)【要約】　　　（修正有）【課題】コンクリート構造物等の直面に対して、多種類の植物により、環境、景観上において十分に配慮した、全面緑化に至る良好な施工資材及び施工方法に関する。【解決手段】コンクリート構造物等の直面等に対して、多種類の植物が生長するための植生基盤材１３の最適量を内容物とする樹脂製植生ボックスを、直面等に装着するためのコンクリート製、アルミニウム製、プラスチック製等の取り付け枠および、取り付け方法。【選択図】図１
2004052441.tif 000002
【特許請求の範囲】
【請求項１】
新設、既設のコンクリート擁壁、法面等において、コンクリート表面に植物の生育空間を創ることを特徴とするコンクリート製、アルミニウム製、プラスチック製等の枠で構成された構造物及び施工方法。
【請求項２】
新設、既設のコンクリート構造物等の、建物の外壁、内壁において、コンクリート表面部等に植物の生育空間を創ることを特徴とする軽量なコンクリート製、アルミニウム製、プラスチック製等の枠で構成された構造物及び施工方法。
【発明の詳細な説明】
【０００１】
【発明の属する技術分野】
本発明は、例えば垂直なコンクリート壁面に植物を生長させるための植生基盤材を固定することを特徴とした取り付け枠で、多種類の植物に必要とする根の生長に対応した植生基盤材の厚みに応じて、安全に装着させることを特徴とした施工方法であり、コンクリートの壁に全面的に緑化する方法。
【０００２】
【従来の技術】
近年、地球温暖化、都市部のヒートアイランド現象といった地球全体の生態系に係る問題に、一部、ビルの屋上緑化、河川護岸の緑化等が進められているが、建物の壁面、土木構造物のコンクリート擁壁、法面といった垂直面等に対する全体緑化に至る資材及び技術、方法がなかった。
【０００３】
【発明が解決しようとする課題】
前記のような現状から、本発明は、コンクリート構造物等の直面に対して、多種類の植物により環境、景観上に十分に配慮した全面緑化に至る良好な施工資材及び施工方法に関する。
【０００４】
【課題を解決するための手段】
本発明は、コンクリート構造物等の直面等に対して、多種類の植物が生長するための植生基盤材の最適量を内容物とする樹脂製植生ボックスを、直面等に装着するためのコンクリート製、アルミニウム製、プラスチック製等の取り付け枠であり、取り付け方法である。なお本発明は、特願２００２−１７５４０８の植物生長を促進させる植物育成箱を植生基盤材とすることでコンクリート構造物の緑化が完成される。ゆえに特願２００２−１７５４０８の植物育成箱に寄与するものである。
【０００５】
【発明の実施の形態】
本発明を図面、符号にて詳細に説明する。なお詳細な説明において、用途、適応範囲を正しく示す。また、本発明の詳細な説明の技術による用途、形状、形態は限定されない。
【０００６】
本発明を図１から図８、符号１から２９で詳細に説明する。図１はコンクリート製の植生基盤材を保護固定させる取り付け主材の断面図である。符号１は符号６と一体で、符号２のアンカーボルト、符号３のナット、符号７の既設コンクリートに貫入固着させる符号８のアンカーボルトと一体の固着部で、本発明のコンクリート製主材である。
【０００７】
図１の符号１は符号１３の植生基盤材、符号１４の豆砂利もしくは砕石、軽量石、符号１９の植物の根、符号４の植物上部を符号５の開口部（以下スリットという）から出ることを防ぐことと、植生基盤材に保持されている水分、肥分等の植物の生長に重要な成分の蒸発、飛散を防止する役目を果す。
【０００８】
符号５のスリットは、植物の地上部を発生させる部分で、植物の種類、幹の生育度合で開き具合を、本発明の植生に寄与する主材（以下本材という）を移動し設置することで、任意に取ることができることも特徴である。また符合１３の植生基盤材、符号１４の豆砂利、砕石、軽量石は以下に示す図３、図５、図７の符号１３、符号１４と同一であり、植物の根に対して水分や水に溶けた肥分等を供給する役目を果す。
【０００９】
図１の符号２のアンカーボルト、符号３のナット、符号８の既設コンクリート貫入部は、本発明のコンクリート部とは独立をしていて、既設コンクリート部に同時もしくは後付けで装着する。
【００１０】
図２は本材の姿図である。符号６は左右に対峙し、本材の荷台に位置し、符号１５はその対峙した空間で、図１の符号６の、左右の厚みの部分を示す。この厚みの部分には、符合１３の植生基盤材、符号１４の豆砂利、砕石、軽量石が挿入される。
【００１１】
図１、図２で示す本材を、既設コンクリート面に、縦もしくは横に連続的に並べて固着させ、植生基盤材等を空間に挿入することにより、新設、既設のコンクリート垂直面等に植物の生育空間を創ることで緑化に至る。なお、本材はコンクリート製であり、重量もかなりあることから、水圧、水量等の外力を受ける水路等に使用することが最適である。
【００１２】
図３は本材の断面図で、アルミニウム製を示すもので軽量物となっている。符号９、符号１０、符号１１は一体でアルミ製であり、符号９の部分と符号１１が対峙した空間、連続した符号１０の対峙した空間に、植生基盤材、豆砂利、砕石、軽量石を充填することで植物育成空間とする。
【００１３】
符号１１のアルミ板は、符号７の既設コンクリートに符号８のアンカーボルト、符号１２のボルトによって固定される。
【００１４】
図４は本材の姿図である。符号１５は図３で示す符号１０の厚みの部分であり空間である。この空間は、植生基盤材、豆砂利、砕石、軽量石を充填することで植物育成空間とする。なお、アルミ製本材はコンクリート構造体等の建物に使用することが最適である。
【００１５】
図５、図６、図７、図８で示す本材は、セメント系繊維入り補強コンクリート、セメント系押し出し成形材、繊維入り補強プラスチック、プラスチック、アルミニウム等の材質で製造することができる。本材の特徴を以下詳細に説明する。
【００１６】
図５は断面図で、符号１６は本材設置後の前面部（地上部）と、符号１７、符号２５の立ち上り、符号１８の底部からの二分割で構成され、立ち上り、底部は既設コンクリートに独立して固着され、そして前面部と接続されている。何れも符号２４のボルト、符号８の既設コンクリートに貫入固定されるボルト（アンカー部）で、符号２０のナット、符号２１、符号２２の二重ナットで連結されて使用される。この、二つの部材に分割することで、符号１３の植生基盤材、符号１４の豆砂利、砕石、軽量石の挿入も容易になる。
【００１７】
本材の敷設後においても、単独で符号１６の前面部を外せることで、符号４、符号１９の植物が枯れる等の事故においても、取り替え、復旧が容易となる。何れも本材を連続的に使用することで、符号５のスリットから植物を発生させ、敷設されるコンクリート構造物表面を緑化する目的である。
【００１８】
図６は姿図で、符号１３は符号１７の厚みの部分である空間で、この空間に符号１３の植生基盤材、符号１４の豆砂利、砕石、軽量石を充填することで植物育成空間とする。なお、本材の材質を軽量化して、符号１６の部材の長さを長くすることで、コストの軽減を計ることができると共に、施工性も改善され良好となる。よって、本材が軽量物であることから、コンクリート構造物の建物等の外壁等に緑化することが可能となる。
【００１９】
図７は断面図で、本材に至る符号１６の前面部（以下前面板という）と、符号２８の立ち上り、符号２９の底部からの二分割で構成されている。前面板は符号２０、符号２６のナット、符号２７のボルトで連結されている。符号２９の底部は符号１２のナット、符号８のボルトにより符号７の既設コンクリートへ固着されている。
【００２０】
図８は姿図で、本材と、符号１３の植生基盤材、符号１４の豆砂利、砕石、軽量石とで構成されている。本材の材質は、セメント系押し出し成形材、繊維入り補強プラスチック、プラスチック、アルミニウム等が最適であり、用途も植生緑化部が軽量化を必要とする場所が良好である。
【００２１】
以上が図、符号による説明を終了するが、本発明の本材の材質、用途、形態において限定されるものではない。
【図面の簡単な説明】
【図１】本発明の本材の断面図で図２のＡ−Ａ断面図
【図２】本材の姿図
【図３】本発明の本材の断面図で図４のＢ−Ｂ断面図
【図４】本材の姿図
【図５】本発明の本材の断面図で図６のＣ−Ｃ断面図
【図６】本材の姿図
【図７】本発明の本材の断面図で図８のＤ−Ｄ断面図
【図８】本材の姿図
【符号の説明】
１前面部（前面板）
２本材貫通ボルト
３ナット
４植物の地上部
５間口（スリット）
６本材の荷台で既設コンクリートの接続部
７既設コンクリート
８既設コンクリートに貫入固定されるボルト（アンカー部）
９前面部（前面板）
１０前面板と本材底部の連結同一部
１１底部
１２ナット
１３植生基盤材
１４豆砂利、砕石、軽量石
１５符号１０の厚み部分で空間部
１６前面部（前面板）
１７本材の支柱で符号１８の底部と同一部
１８底部
１９植物の根
２０ナット
２１ナット
２２ナット
２３ボルト
２４ボルト
２５符号１７の補強部
２６ナット
２７ボルト
２８本材の支柱
２９底部
【図１】
2004052441.tif 000003
【図２】
2004052441.tif 000004
【図３】
2004052441.tif 000005
【図４】
2004052441.tif 000006
【図５】
2004052441.tif 000007
【図６】
2004052441.tif 000008
【図７】
2004052441.tif 000009
【図８】
2004052441.tif 000010